(57)【要約】【課題】本発明は、容器本体の付け替えが容易であり、容器把持性、軽量性共に優れ、内容液の残液も生じ難い付け替え用複合容器の提供を目的とする。【解決手段】本発明は、付け替え容器本体１を覆う補強カバー部材２が着脱自在に装着され、付け替え容器本体の口部と補強カバー部材の口部カバーを覆うようにキャップ部材３ｆが装着され、吸い上げ筒３ｂの先端を付け替え容器本体の底壁部１ｂに押し付けて該底壁部を下向きに凸にした状態で注出ポンプ３が付け替え容器本体に装着される一方、付け替え容器本体の口部からのキャップ部材の離脱により付け替え容器本体が交換自在とされ、交換後の付け替え容器本体の底壁部１ｂが吸い上げ筒３ｂの先端部により下向きに凸の状態に変形自在とされてなることを特徴とする。【選択図】図１
2008285175.tif 000002
【特許請求の範囲】
【請求項１】
口部と肩部と胴部と底壁部を有して薄肉の付け替え容器本体が構成され、前記付け替え容器本体の胴部を覆う胴部カバーと前記付け替え容器本体の肩部を覆う肩部カバーと前記付け替え容器本体の口部の少なくとも一部を覆う口部カバーとを有して前記付け替え容器本体の外側に被着される補強カバー部材が構成され、ポンプ本体と該ポンプ本体の上部に設けられてポンプ本体を作動させるディスペンサヘッドとポンプ本体の下部に接続された吸い上げ筒と前記ポンプ本体の外側に形成されたキャップ部材とを有して注出ポンプが構成され、
前記付け替え容器本体の胴部と肩部と口部の一部とを覆って前記付け替え容器本体の外側に前記補強カバー部材が着脱自在に装着され、前記付け替え容器本体の口部及び／または前記補強カバー部材の口部カバーを覆うように前記キャップ部材が装着され、前記吸い上げ筒の先端を前記付け替え容器本体の底壁部に接触させるとともに該底壁部を下向きに凸にした状態で前記注出ポンプが前記付け替え容器本体に装着される一方、
前記付け替え容器本体の口部および前記口部カバーからの前記キャップ部材の離脱により前記付け替え容器本体が交換自在とされ、この交換された付け替え容器本体の底壁部が前記付け替え容器本体の口部に対するキャップ部材の装着により前記吸い上げ筒の先端部により下向きに凸の状態に変形自在とされてなることを特徴とする付け替え用複合容器。
【請求項２】
前記薄肉の付け替え容器本体の底壁部が平面形状あるいは上に凸の形状のいずれかの形状とされ、付け替え容器本体単独で机や棚などの載置面上に底壁部を載せて安定設置可能とされてなることを特徴とする請求項１に記載の付け替え用複合容器。
【請求項３】
前記薄肉の付け替え容器本体の底壁部が下に凸の形状とされてなることを特徴とする請求項１に記載の付け替え用複合容器。
【請求項４】
前記補強カバー部材がその口部カバーから胴部に渡り、縦２つ割り形状とされ、補強カバー部材の縦２つ割形状の口部カバーを合わせて前記キャップ部材を装着することにより縦２つ割形状の補強カバー部材が前記付け替え容器本体に固定されてなることを特徴とする請求項１または２に記載の付け替え用複合容器。
【請求項５】
前記付け替え容器本体の底壁部に水平面に対して１０〜５０゜の範囲内の傾斜壁が形成されてなることを特徴とする請求項１〜４の何れかに記載の付け替え用複合容器。
【請求項６】
内容物が液体洗浄剤、液体化粧料、液状食品のいずれかであることを特徴とする請求項１〜５の何れかに記載の付け替え用複合容器。
【発明の詳細な説明】
【技術分野】
【０００１】
本発明は、内容物を収容した付け替え容器本体の交換を容易にできるようにした付け替え用複合容器に関する。
【背景技術】
【０００２】
ポンプディスペンサやトリガースプレー等の注出装置を有する液体製品の付け替え容器においては、環境対応の観点からは容器重量をできるだけ削減する事が好ましいが、一方で注出装置を構成するポンプの押圧強度や、容器自立性、容器把持性などが必要とされるため、軽量容器単独で使用する形態の場合に容器の形状や軽量化には限界がある。
【０００３】
従来から、このような軽量容器の強度を補強する手段としては、有底筒状の容器本体と蓋とからなる外容器に軽量容器を収納する構造（特許文献１〜３参照）や、無底筒状の外装カバーにより軽量容器を被覆する構造（特許文献４〜６参照）等が知られている。
特許文献１には、容器本体の開口部に口頸部と肩部からなるカバー部材が係合して冠着する外容器と、カバー部材の口頸部に係合して冠着する吸上げパイプを垂下する注出ポンプ付キャップと、カバー部材の口頸部内側に摺動可能に挿着する下方に複数個の係止切片部をもつ密封部材と、開口する付替え用薄肉ボトルとからなる容器であって、付替え用薄肉ボトルの開口部に、カバー部材と注出ポンプ付キャップとを密封部材を挟着して着脱可能に密封係止し、吸上げパイプを付替え用薄肉ボトル内側に垂下し、外容器内に付替え用薄肉ボトルを収容した構造が開示されている。
【０００４】
特許文献２には、ディスペンサー付き容器本体において、図１６に示す如く容器本体１００の内カバー１０１にカートリッジ１０２を着脱自在に取り付けて構成し、内圧の減少によりカートリッジを内側に変形させて内容物を吸い出すことができるカートリッジ式詰め替え容器が開示され、この容器本体１００の口部にディスペンサー１０３が装着されて該ディスペンサー１０３の先端側の注出ノズル１０４から内容物を吐出することができる容器が開示されている。
特許文献３には、ポンプ機構を用いた液状内容物吐出容器として、袋体の口部体にポンプ機構を液密に装着し、袋体を開閉自在な構成の箱体に収納して成る構造が開示されている。
【０００５】
特許文献４には、本体１０５と内容物供給機構１０６とキャップ１０７とからなるディスペンサーにおいて、本体１０５の外側にカバー１０８を有し、本体１０５の首部１０９にカバー１０８の開口部を嵌合して、このカバー１０８を支持するキャップ１０７を設けたディスペンサーが開示されている。
【特許文献１】特開２０００−２５５６３６号公報
【特許文献２】特開２００１−３３５０８７号公報
【特許文献３】実開平５−４４８５４号公報
【特許文献４】特開２００１−１２８８７８号公報
【発明の開示】
【発明が解決しようとする課題】
【０００６】
しかしこれら従来の特許文献１〜４に記載の容器構造では、いずれにおいても内容液が少なくなった時に容器の底に残液が生じ易いという問題があった。
また、これら従来の特許文献１〜４に係る容器構造では、内容物を収容した容器の強度補強部材は付け替え容器の外装体として繰り返し使用されるものであるが、これらの特許文献１〜４に記載の構造では繰り返し使用による外装体の汚れを洗浄し難い構造であるという問題があった。
更に、薄肉の付け替え容器本体は交換用として別途販売される形態となるが、付け替え容器本体単独で自立性を確保しつつ交換性が良好であり、残液性の面にも優れた構造は提供されていなかった。
【０００７】
本発明は、薄肉の付け替え容器本体を有していてもポンプの押圧強度に耐える押圧強度と容器自立性を確保し、容器本体の付け替えが容易であるとともに、容器把持性、軽量性共に優れ、内容液の残液も生じ難い付け替え用複合容器の提供を目的とする。
更に本発明は、薄肉の容器本体単独で机や棚などの載置面に安定設置可能であり、付け替え容器本体の交換後に吸い上げ筒の先端部により容器本体の底壁部を下向きに凸として内容液の残液の問題を解消できる付け替え用複合容器の提供を目的とする。
【課題を解決するための手段】
【０００８】
上記目的を達成するために、本発明は以下の構成を採用した。
（１）本発明の付け替え用複合容器は、口部と肩部と胴部と底壁部を有して薄肉の付け替え容器本体が構成され、前記付け替え容器本体の胴部を覆う胴部カバーと前記付け替え容器本体の肩部を覆う肩部カバーと前記付け替え容器本体の口部の少なくとも一部を覆う口部カバーとを有して前記付け替え容器本体の外側に被着される補強カバー部材が構成され、ポンプ本体と該ポンプ本体の上部に設けられてポンプ本体を作動させるディスペンサヘッドとポンプ本体の下部に接続された吸い上げ筒と前記ポンプ本体の外側に形成されたキャップ部材とを有して注出ポンプが構成され、前記付け替え容器本体の胴部と肩部と口部の一部とを覆って前記付け替え容器本体の外側に前記補強カバー部材が着脱自在に装着され、前記付け替え容器本体の口部及び／または前記補強カバー部材の口部カバーを覆うように前記キャップ部材が装着され、前記吸い上げ筒の先端を前記付け替え容器本体の底壁部に接触させるとともに該底壁部を下向きに凸にした状態で前記注出ポンプが前記付け替え容器本体に装着される一方、前記付け替え容器本体の口部および前記口部カバーからの前記キャップ部材の離脱により前記付け替え容器本体が交換自在とされ、この交換された付け替え容器本体の底壁部が前記付け替え容器本体の口部に対するキャップ部材の装着により前記吸い上げ筒の先端部により下向きに凸の状態に変形自在とされてなることを特徴とする。
【０００９】
（２）本発明の付け替え用複合容器は、前記薄肉の付け替え容器本体の底壁部が上に凸の形状、平面形状のいずれかの形状とされ、付け替え容器本体単独で机や棚などの載置面上に底壁部を載せて安定設置可能とされてなることを特徴とする。
（３）本発明の付け替え用複合容器は、前記薄肉の付け替え容器本体の底壁部が下に凸の形状とされてなることを特徴とする。
（４）本発明の付け替え用複合容器は、前記補強カバー部材がその口部カバーから胴部に渡り、縦２つ割り形状とされ、補強カバー部材の縦２つ割形状の口部カバーを合わせて前記キャップ部材を装着することにより縦２つ割形状の補強カバー部材が前記付け替え容器本体に固定されてなることを特徴とする。
（５）本発明の付け替え用複合容器は、前記付け替え容器本体の底壁部に水平面に対して１０〜５０゜の範囲内の傾斜壁が形成されてなることを特徴とする。
（６）本発明の付け替え用複合容器は、内容物が液体洗浄剤、液体化粧料、液状食品のいずれかであることを特徴とする。
【発明の効果】
【００１０】
本発明によれば、注出ポンプに設けたキャップ部材を付け替え容器本体の口部に装着することで注出ポンプ下端側の吸い上げ筒の先端部でもって薄肉の付け替え容器本体の底壁部を下に凸の形状に変形できるので、容器本体の底壁部周りに残存する内容物を最後まで注出ポンプの吸い上げ筒の先端から確実に吸い上げることができ、注出ポンプにより外部に排出できる効果がある。また、薄肉の付け替え容器本体は軽量で廃棄も容易であり、簡易に交換して使用することができ、内容液の詰め替え作業が簡便にできる。
薄肉の付け替え容器本体の底壁部を吐出ポンプの吸い上げ筒で下に凸の形状に変形させることで残液を効率良く注出ポンプの吸い上げ筒側に集めることができるので、内容物を残すことなく充分に使い切ることができる付け替え複合容器を提供できる。また、使用後に用済みの付け替え容器本体は薄肉容器であるので容易に畳んで廃棄することができ、廃棄する際のサイズを小さくすることも容易にできる。
本発明において、付け替え容器本体の底壁部を平面状あるいは上に凸形の形状にしておくならば、付け替え容器本体単独で机や棚などの平面上に設置する場合に安定的に載置することができる。これにより、付け替え容器本体を単独販売して交換して使用する形態の場合、付け替え容器本体を単独で陳列棚などに安定配置して販売することができる特徴と、付け替え複合容器として補強カバー部材で覆って、注出ポンプを挿入した使用状態での残液性の良好さの両面において優れた特徴を兼ね備えさせることができる。
【００１１】
本発明において、補強カバー部材を縦２つ割形状とするならば、付け替え複合容器を補強カバー部材で覆う場合の装着操作が容易にできるとともに、２つ割とした状態の補強カバー部材はその表面側と裏面側の両方を簡単に洗浄できるので、洗浄性の良好な使い勝手の良い付け替え複合容器を提供できる。
本発明によれば、付け替え容器本体の底壁部に水平面に対して１０〜５０゜の傾斜壁が形成された場合、吸い上げ筒の先端側に内容物を重力により自然に集めることができるので、吸い上げ筒を介して注出ポンプにより内容物を余すことなく充分に利用できるので、内容物を無駄なく最後まで使用することができる。
また、付け替え容器本体の底壁部の厚さを０．１ｍｍ以上、０．３ｍｍ以下とするならば、吸い上げ筒の口部への装着により吸い上げ筒の先端部で下向きに底壁部を押圧して変形する際、下に凸形の底壁部に容易に変形できるので、付け替え容器本体の交換後、注出ポンプを装着する場合の取り扱い操作が簡便な特徴がある。
【発明を実施するための最良の形態】
【００１２】
以下、本発明の実施形態を図面を用いて説明するが、本発明は以下に説明する各実施形態に制限されるものではない。
図１は本発明の付け替え用複合容器の第１実施形態の構造を示すもので、この第１実施形態の付け替え用複合容器Ａは、付け替え容器本体１とその外側に被着された補強カバー部材２と付け替え容器本体１に装着される注出ポンプ３を主体として構成されている。
前記付け替え容器本体１は、ポリエチレンテレフタレート（ＰＥＴ）、ポリエチレン（ＰＥ）などの薄肉樹脂材料からなる薄肉容器状に形成されてなり、胴部１ａと底壁部１ｂと肩部１ｄと口部１ｅからなり、口部１ｅは筒型に形成されてその外周部にはねじ部１ｆが形成され、口部１ｅの底部外周側にはフランジ板１ｇが設けられている。この実施形態において付け替え容器本体１の底壁部１ｂは、その周辺部１ｈを低い位置としてその中心部１ｉを頂とする山形形状であって上に凸型の傾斜壁１ｊからなる。
【００１３】
前記補強カバー部材２は、前記付け替え容器本体１の胴部１ａの周面全体を覆うことができる形状の胴部カバー２ａと、付け替え容器本体１の肩部１ｄを覆うことができる形状の肩部カバー２ｂと、付け替え容器本体１の口部１ｅのフランジ板１ｇ部分までを覆うことができる口部カバー２ｃとからなり、更に補強カバー部材２は口部カバー２ｃと肩部カバー２ｂと胴部カバー２ａを中心ライン２ｄで縦方向２つ割りしてなるカバー半体２Ａ、２Ｂに分割され、胴部カバー２ａの底面側は解放された形状とされているが、胴部カバー２ａを机や棚の上などの水平面に安定配置できるように胴部カバー２ａの底面２ｅは平面形状とされている。この補強カバー部材２はカバー半体２Ａ、２Ｂを中心ライン２ｄに沿って分離した後、付け替え容器本体１の両側からカバー複体２Ａ、２Ｂを被せるように装着することで付け替え容器本体１を覆うことができるように構成されている。
【００１４】
前記注出ポンプ３は、吸い上げシリンダ機構を内蔵したポンプ本体３ａと、このポンプ本体３ａの底部中央側に延出形成されたパイプ状の吸い上げ筒３ｂと、ポンプ本体３ａの上部側に形成された作動管３ｃと、作動管３ｃの上部に設けられた押しボタン３ｄと、押しボタン３ｄを貫通して作動管３ｃを横向きに延出させた吐出ノズル３ｅと、ポンプ本体３ａの上部外側に被着形成されたキャップ部材３ｆとを具備して構成されている。前記吸い上げ筒３ｂは、ポリプロピレン（ＰＰ）、ポリエチレンテレフタレート（ＰＥＴ）などの硬質樹脂材料からなることが好ましく、吸い上げ筒３ｂの先端径は５ｍｍ以上、１０ｍｍ以下の範囲、吸い上げ筒３ｂの先端部の肉厚は１ｍｍ以上、２ｍｍ以下の範囲であることが好ましい。
この範囲において吸い上げ筒３ｂの径あるいは肉厚が前記の範囲より小さい場合、吸い上げ筒３ｂの剛性が不足する傾向となり易く、付け替え容器本体１の底壁部１ｂを押出し変形させ難くなる。また、吸い上げ筒３ｂの径と肉厚が前述の上限値を超えると不必要に樹脂を消費することとなり、製品単価が上昇する。
【００１５】
前記キャップ部材３ｆは、円筒型に形成されてその内側にねじ部が形成されていて、前記付け替え容器本体１を囲うように補強カバー部材２を装着した場合、付け替え容器本体１の口部１ｅに螺合することができるとともに、口部１ｅを覆っている口部カバー２ｃを覆ってこれを締め付け固定できるように構成されている。
前記注出ポンプ３の吸い上げ筒３ｂの長さは、キャップ部材３ｆを付け替え容器本体１の口部１ｅにねじ込み固定した場合、付け替え容器本体１の底壁部１ｂの中心部１ｉの高さ位置よりも下方であって、胴部カバー２ａの底部近くまで吸い上げ筒３ｂの先端を到達できるような長さに形成されている。
また、付け替え容器本体１は別の付け替え容器本体１と交換して使用することができるように構成されているので、付け替え容器本体１を単独で扱うことができるように、付け替え容器本体１の口部１ｅを閉じることができるねじ込み式のキャップ５が装着されるようになっている。
【００１６】
次に、前記付け替え容器本体１は前述した如く薄肉のＰＥＴやＰＥなどの樹脂材からなるが、特にその底壁部１ｂの厚さが、０．１ｍｍ以上、０．３ｍｍ以下の範囲とされてなることが好ましい。ここで底壁部１ｂの厚さが０．１ｍｍ未満では、付け替え容器本体１の落下衝撃強度や突き刺し強度が不十分となる傾向がある。また、底壁部１ｂの厚さが０．３ｍｍを越えるようでは、付け替え容器本体１が厚肉になり過ぎて吸い上げ管３ｂの押し下げ力によっても変形しなくなる傾向がある。
また、吸い上げ管３ｂにより押し下げられた状態において、付け替え容器本体１の底壁部１ｂの傾斜角度θは、１０゜＜θ＜５０゜の範囲が好ましく、２０゜＜θ＜４０゜の範囲がより好ましい。底壁部１ｂの傾斜角度が１０゜未満では内容物が特に高粘度の流体の場合に吸い上げ筒３ｂの上方に向かって流体が流れ難くなり、内容物の残液低減効果が有効に発揮できなくなる。また、底壁部１ｂの傾斜角度が５０゜を越えると、容器全体の高さ寸法が長くなり、容器の正立安定性が低下する。更に、付け替え容器本体１の底部の傾斜角度が鋭角になるため、吸い上げ筒３ｂの先端で底壁部１ｂを押し出し変形させる際に吸い上げ筒３ｂが底壁部１ｂを押出変形できなくなる傾向となる。
【００１７】
以上の如く構成された本発明に係る付け替え用複合容器Ａは、界面活性剤入りの液体洗浄剤あるいはシャンプーやリンス、各種液剤など、液状の内容物を収容した付け替え容器本体１に補強カバー部材２を装着し、注出ポンプ３のキャップ部材３ｆを口部１ｅにねじ込み固定し、補強カバー部材２の口部カバー２ｃを付け替え容器本体１の口部１ｅ側に先のキャップ部材３ｆにより締め付け固定した状態で使用可能な状態となる。また、付け替え用複合容器Ａの内容物として、液体化粧料、液状食品などを用いても良い。
液状の内容物を注出して使用するためには、押しボタン３ｄを手動で下向きに押し下げることにより、ポンプ本体３ａを作動させて吸い上げ筒３ｂを介して液状の内容物をポンプ本体３ａ側に吸い上げ、そこから更に内容物を流動させて吐出ノズル３ｅの先端から外部に吐出することができる。
ここで、付け替え容器本体１の口部１ｅに注出ポンプ３のキャップ部材３ｆをねじ込み固定した状態においては、図２に示す如く吸い上げ筒３ｂの先端が付け替え容器本体１の底壁部１ｂを押し下げ変形させて、下に凸の状態とするので、内容物が残り少なくなっても底壁部１ｂの中央側の低い位置に集合させることができるので、吸い上げ筒３ｂの先端側から内容物の残液を生じさせることなく注出して使用することができる。従って内容物を無駄なく使用できる付け替え複合容器Ａを提供できる。
【００１８】
次に、付け替え容器本体１内の内容液を完全に使用したならば、付け替え容器本体１の交換を行う。付け替え容器本体１の交換には、内容物が充填されている図１（Ｅ）に示す新規の付け替え容器本体１を用意するとともに、使用が終了した付け替え容器本体１から図１（Ｃ）に示す如く注出ノズル３を取り外し、図１（Ｅ）に示す新規の付け替え容器本体１からキャップ５を取り外し、図２に示す如く注出ポンプ３を口部１ｅに装着してキャップ部材３ｆをねじ込む。この操作により吸い上げ筒３ｆの先端が上に凸であった底壁部１ｂを押し下げ変形させて図２に示す下に凸の状態とする。
【００１９】
ところで、第１実施形態の付け替え容器本体１においては、付け替え容器本体１の底壁部１ｂの傾斜角度を１０゜＜θ＜５０゜の範囲としていることで、注出ポンプ３のキャップ部材３ｆをねじ込みした場合に底壁部１ｂが図２に示す如く確実に下向きに凸型に変形させることができる。これに加えて底壁部１ｂの肉厚を０．１ｍｍ以上、０．３ｍｍ以下の範囲としているので、底壁部１ｂの変形も容易であり、底壁部１ｂを図２に示す如く確実に下向きに凸型に変形させることができる。
【００２０】
図２に示す如く変形させた付け替え容器本体１を補強カバー部材２で覆った状態を図１（ａ）に示すが、この状態では付け替え容器本体１の外部を補強カバー部材２が覆って、補強カバー部材２の底面部が自立性を付与しているので、下に凸の状態となった付け替え容器本体１であっても難なく押しボタン３ｄを押圧して内容物を注出して使用することができる。
なお、付け替え容器本体１は図１（Ｃ）、（Ｅ）に示す状態では底壁部１ｂが基本的に上向きに凸形であり、図１（Ｃ）、（Ｅ）に示す状態で机や棚などの載置面に設置する時には同一高さ平面位置にある周辺部１ｈを介して設置するので安定支持ができる。しかし、図２に示す如く注出ポンプ３を装着して底壁部１ｂを下に凸とした状態のままでは机や棚などの載置面に安定設置ができないが、図１に示す如く補強カバー部材２で覆っておけば、その胴部２ａ、２ａの底面周縁が平面位置となるので付け替え容器本体１の安定支持ができる。
【００２１】
本発明において、付け替え容器本体１の底壁部１ｂを平面状あるいは上に凸形の形状にしておくならば、付け替え容器本体１の単独で机や棚などの平面上に設置する場合に安定的に載置することができる。これにより、付け替え容器本体１を単独販売して交換して使用する形態をとった場合、付け替え容器本体１を単独で商店の陳列棚などに安定配置して販売することができる特徴と、付け替え複合容器Ａとして補強カバー部材２で覆って、注出ポンプ３を挿入した使用状態での残液性の良好さの両面において優れた特徴を兼ね備えさせることができる。
【００２２】
本発明において、補強カバー部材２を縦２つ割形状とするならば、付け替え複合容器１を補強カバー部材２で覆う場合の装着操作が容易にできるとともに、２つ割とした状態の補強カバー半体２Ａ、２Ｂはその表面側と裏面側の両方を簡単に洗浄できるので、洗浄性の良好な使い勝手の良い付け替え複合容器を提供できる。
本発明によれば、付け替え容器本体１の底壁部１ｂに水平面に対して１０〜５０゜の傾斜壁１ｊが形成された場合、吸い上げ筒２ｂの先端側に内容物を重力により自然に集めることができるので、吸い上げ筒を介して注出ポンプ３により内容物を余すことなく充分に利用できるので、内容物を無駄なく最後まで使用することができる。
【００２３】
また、付け替え容器本体１の底壁部の厚さを０．１ｍｍ以上、０．３ｍｍ以下とするならば、吸い上げ筒３ｂの口部１ｅへのねじ込み装着により吸い上げ筒の先端部で下向きに底壁部１ｂを押圧して変形する際、下に凸形の底壁部１ｂに容易に変形できるので、付け替え容器本体１の交換後、注出ポンプ３を装着する場合の取り扱い操作が簡便な特徴がある。なお、ＰＥＴなどの樹脂材により付け替え容器本体１を構成し、上に凸形の状態の底壁部１ｂであるならば、図２に示す如く底壁部１ｂを下に凸形の形状に変形させる場合、
底壁部１ｂの周辺部１ｈとその中心部１ｉの樹脂が幾分塑性変形するだけで底壁部１ｂの全体を下に凸形に変形できるので、変形抵抗を少なくすることができ、注出ポンプ３のねじ込み作業にも支障は生じない。
【００２４】
図３は本発明に適用される付け替え容器本体の他の例を示すもので、この例の付け替え容器本体１０は、薄肉容器状に形成されてなり、胴部１０ａと底壁部１０ｂと肩部１０ｄと口部１０ｅからなり、口部１０ｅは筒型に形成されてその外周部にはねじ部１０ｆが形成され、口部１０ｅの底部側にはフランジ板１０ｇが設けられている。付け替え容器本体１０の底壁部１０ｂは、その周辺部１０ｈを高い位置としてその中心部１０ｉを底とする形状であって下に凸の形状の谷型のテーパ壁１０ｊからなる。その他の構成は先の実施形態の構造と同等である。
この例の付け替え容器本体１０にあっては図４に示す如く補強カバー部材２により覆った状態においてキャップ５を口部１ｅにねじ込んで口部１ｅを閉じることができるように構成されている。勿論、キャップ５を外して図１（Ｄ）に示す注出ポンプ３を装着することができる。
この例の付け替え容器本体１０においては、付け替え容器本体１０の単体の時に自立性が無いこと以外は、先の付け替え容器本体１と同様に使用することができる。
この例の付け替え容器本体１０においては自立性が無いので、販売時や運搬時、陳列時等に多少の制約を生じるが、それ以外は先の例の付け替え容器本体１と同等の効果を得ることができる。
【００２５】
本実施形態の構造においても付け替え容器本体１０に補強カバー部材２を装着して注出ポンプ３を取り付けることで先の実施形態と同等の使用状態を得ることができる。
即ち、付け替え容器本体１０の口部１０ｅに注出ポンプ３のキャップ部材３ｆをねじ込み固定した状態においては、吸い上げ筒３ｂの先端が付け替え容器本体１０の底壁部１０ｂの最も低い位置にある中央部に位置するので内容物の残液を生じさせることなく注出して使用できる。
【００２６】
図５〜図８は本発明に係る付け替え用複合容器に適用される付け替え容器本体と補強カバー部材の第３の例を示すもので、この第３の例の付け替え容器本体２０は、平面視略長方形状の胴部２０ａと肩部２０ｄと口部２０ｅとねじ部２０ｆを有する薄肉容器形状とされ、補強カバー部材２１が胴部カバー２１ａと肩部カバー２１ｄと口部カバー２１ｃからなり、胴部カバー２１ａと肩部カバー２１ｄの一側面側に付け替え容器本体２０を挿通自在な開口を備えて構成されている。
この第３実施形態の構造においても付け替え容器本体２０に補強カバー部材２１を図７〜図８に示す如く装着し、付け替え容器本体２０の口部２０ｅに先の第１実施形態において用いた注出ポンプ３を装着することで先の実施形態の場合と同様に使用することができる。
【００２７】
図９は本発明に係る付け替え用複合容器に適用される補強カバー部材の第４の例を示すもので、この例においては補強カバー部材３０が縦２つ割り形状に形成された補強カバー半体３１、３２がヒンジ結合部３３により開閉自在に接合され、補強カバー半体３１、３２のヒンジ結合部３３と反対側に係合部３４、３５が形成されていて、補強カバー半体３１、３２の間に図５に示す付け替え容器本体２０を装着でき、補強カバー半体３１、３２の口部３６に前述の注出ポンプ３が装着できるように構成されている。
この第４実施形態の構造においても先の各実施形態の構造と同様に使用することができる。
【００２８】
図１０は本発明に係る付け替え用複合容器に適用される補強カバー部材の第５の例を示すもので、この例の補強カバー部材４０は、補強カバー部材４０が縦２つ割り形状に形成されて補強カバー半体４１、４２が係合部４３、４４、４５、４６により開閉自在に接合されていて、補強カバー半体４１、４２の間に図１に示す付け替え容器本体１あるいは図３に示す付け替え容器本体１０または図５に示す付け替え容器本体２０を装着できるように構成されている。
この第５の例の構造においても先の例の構造と同様に使用することができる。
【００２９】
図１１は本発明に係る付け替え用複合容器の第６の例に適用される補強カバー部材５０を示すもので、この形態の補強カバー部材５０は先の第１実施形態の補強カバー部材２において補強カバー半体２Ｂの胴部中央側に縦長の開口部５１を形成したものである。その他の構造は先の第１実施形態の補強カバー部材２と同等の構成である。
この第６の例の構造においても先の第１実施形態の構造の場合と同様に使用することができる。
また、補強カバー半体２Ｂの胴部に開口部５１を設けているので、付け替え容器本体１内に収容されている液体を外部から直接確認することができる。その他の作用効果は先の第１の例の付け替え容器本体１の場合と同様である。
【００３０】
図１２（Ａ）、（Ｂ）は本発明の付け替え複合容器に適用される付け替え容器本体の第７、第８の例を示すもので、図１２（Ａ）に示す如く付け替え容器本体５０の口部の５０ａの周囲部に８角形状のフランジ部５０ｂを設けた形状、あるいは、図１２（Ｂ）に示す如く付け替え容器本体５１の口部の５１ａの周囲部に８角形状のフランジ部５１ｂを設けた形状に対して先に説明した注出ポンプ３を着脱自在に設けた構成を採用することができるようになっている。
【００３１】
図１４と図１５は、付け替え容器本体の底壁部においてその中央部上面側に、吸い上げ筒を係止するためのリブ６１を形成した実施形態を示す。
このリブ６１により図１４（Ａ）に示す如く上に凸形に形成されている底壁部１ｂを吸い上げ筒３ｆにより下向きに押圧して変形させる場合、吸い上げ筒３ｆの先端部をリブ６１に確実に係止させて底壁部１ｂを確実に変形させることができる。これに対してリブ６１が無い場合であって、前述の如く底壁部１ｂの傾斜角度が急な場合は、注出ポンプ３を付け替え容器本体１の口部１ｅに装着して吸い上げ筒３ｆを下向きに押し込んでもスリップして底壁部１ｂを変形できずに、吸い上げ筒３ｆの方が曲がってしまうおそれがある。
【００３２】
このリブ６１については、図１４、図１５に示す如く如何なるリブ形に形成されていてもよく、例えば、図１４、図１５（Ａ）に示す如く平面視Ｃ型のリブ６１としても良く、図１５（Ｂ）に示す如く平面視半円状のリブ６２、６２としても良く、図１５（Ｃ）の如く平面視円弧の一部を構成する３つのリブ６３の集合体でも良い。図１４（Ａ）、（Ｂ）はリブ６１の側面形状を示し、図１５（Ａ）は平面形状を示す。
図１４、図１５（Ａ）〜（Ｃ）に示す構造のリブ６１〜６３であるならば、これらのリブの間の空間を内容物が流動できるので、リブの内側に残液が円滑に流動して残液を残さず吸い上げ筒３ｆで注出可能となる。
なお、これらのリブの高さは吸い上げ筒３ｂの位置ずれを防止できればよいので、高さ数ｍｍ程度で良い。また、リブの内側に確実に吸い上げ筒３ｂを挿入するためには、リブの内径は吸い上げ筒３ｂの外径の１．１倍以上であることが好ましく、円周上の位置に各リブが存在することが好ましい。
【実施例】
【００３３】
図１３（Ａ）に示すＰＥＴ製の付け替え容器本体において底壁部の肉厚を０．０５、０．１、０．２、０．３、０．５、１．０ｍｍとしたものをそれぞれ試作し、底壁部１ｂと水平面Ｈとのなす角度θ２を３０゜とした容器を製造し、以下の評価試験を行った。
【００３４】
【表１】
2008285175.tif 000003
【００３５】
表１の押しやすさはテスター１０名の官能評価であり、落下衝撃強度は水を２００ｍｌ充填し、２０℃において正立状態で（底壁部を下に向けて）１ｍの高さから落下させて測定した結果を示し、突き刺し性については、吸い上げ筒をポリプロピレン（ＰＰ）から構成し、筒径を５ｍｍ、筒の肉厚を１ｍｍ、吸い上げ筒の先端部を２０゜で斜め方向に切断した構造を採用した。
表１の評価水準は、押しやすさについては、◎：８名以上が押しやすい、○：６〜７名が押しやすい、△：３〜５名が押しやすい、×：２名以下が押しやすい、との基準とした。
落下衝撃度は、○：液漏れとなる破損がない（変形は許容）、×：液漏れとなる破損がある、との基準とした。
突き刺し性は、○：突き刺し貫通なし、△：貫通はしないが変形を生じたもの、×：突き刺し貫通ありの各水準とした。突き刺し貫通性の評価は、直径５ｍｍのＰＰ製チューブを用いて圧力３ｋｇ／ｍｍ２の圧力で突き刺した時の発生の有無を調査した結果である。
【００３６】
表１に示す結果から、ＰＥＴ製の付け替え容器本体の肉厚において０．１〜０．３ｍｍの範囲ならば、押し易さ、落下衝撃度、突き刺し性の３つの要因においていずれも良好な結果にできることが判明した。
【００３７】
次に、以下の表２において、付け替え容器本体の底壁部の形状と吸い上げ筒の形状に応じて残液の状態を調べた結果を示す。
底壁部の肉厚を０．１ｍｍとして種々の形状としたＰＥＴ製の付け替え容器本体を製作し、各付け替え容器本体を使用した場合の容器底部形状（底壁部の形状）と吸い上げ筒の形状並びに位置関係と残液量の関係を測定した。付け替え容器本体に挿入した吸い上げ筒の先端は斜め２０゜方向に切断したものを用いた。吸い上げ筒が付け替え容器本体の底壁部中央に位置するもの（試料Ｎｏ.１〜４、６）は、ＰＰ製の直径５ｍｍ、肉厚１ｍｍのサイズの吸い上げ筒であり、付け替え容器本体の底壁部の周縁側まで到達して曲がっているもの（試料Ｎｏ.５、７）は、ＰＥ製の直径５ｍｍ、肉厚１ｍｍのサイズの吸い上げ筒である。また、Ｎｏ.１の試料は下に凸型であり傾斜角度２０゜、Ｎｏ.２の試料は下に凸型であり傾斜角３７゜、Ｎｏ.４の試料は傾斜角０゜、Ｎｏ.４、５の試料は下に凹型（上に凸型）であり傾斜角２５゜、Ｎｏ.６、７の試料は下に凹型（上に凸型）であり傾斜角１０゜の容器本体構造である。
【００３８】
これらの各付け替え容器本体試料に水と台所洗剤（粘度１００〜２００ｍＰａ・ｓ、２５℃、ＢＬ，ＢＭ型ローターＮｏ.１）とシャンプー（粘度１．０〜８．０Ｐａ・ｓ、２５℃、ＢＬ，ＢＭ型ローターＮｏ.４）を満たし、注出ポンプを使用して内容物を使い切って空打ちするまで繰り返し注出し、空打ち状態となった際の残液量を計測した。この試験を繰り返し３回行った結果とそれらの平均値を以下の表２に示す。
【００３９】
【表２】
2008285175.tif 000004
【００４０】
表２のＮｏ.１〜Ｎｏ.７の試料はいずれもＰＥＴ製の外径６０ｍｍの円筒状の容器形状とされている。表２のＮｏ.１の試料は、付け替え容器本体の底壁部において、底壁部の中心部の直径６ｍｍ領域が平面形状とされ、その他の領域が下に凸形の傾斜面を有する底壁部とされ、傾斜面の高さは１０ｍｍとされている。表２のＮｏ.２の試料は、同傾斜面の高さを２０ｍｍとした試料、Ｎｏ.３の試料は底壁部を平面とした試料、Ｎｏ.４の試料は底壁部の中央部が平面、その周囲側が上に凸となる高さ１０ｍｍの傾斜面とされた試料、Ｎｏ.５の試料は底壁部の形状がＮｏ.４の試料と同等であるが、吸い上げ筒の先端をカーブさせて底壁部の周辺位置まで伸ばした試料、Ｎｏ.６の試料は底壁部の中央部を上側にその周囲側に下向きの傾斜面としてなり、外周縁側にＲ＝６ｍｍの丸底部を形成した試料、Ｎｏ.７の試料はＮｏ.６の試料において付け替え容器本体の底壁部は同じであるが、吸い上げ筒の先端側を丸底部側にまで延出形成した例である。
【００４１】
表２に示す結果から、本発明の実施例１、２の構造の底壁部を有する試料では、他の試料に比べて明らかに残液量が少ないことが判明した。
【図面の簡単な説明】
【００４２】
【図１】図１は本発明に係る付け替え用複合容器の第１実施形態を示す図であり、図１（Ａ）は全体構成図、図１（Ｂ）は補強カバー部材の側面図、図１（Ｃ）は付け替え容器本体の一部を断面とした側面図、図１（Ｄ）は注出ポンプの側面図、図１（Ｅ）は交換用の付け替え容器本体を示す側面図。
【図２】図２は同付け替え用複合容器に注出ポンプを装着した状態を示す簡略透視図。
【図３】図３は同付け替え用複合容器に適用される付け替え容器本体の第２の例を示す側面図。
【図４】図４は同付け替え容器本体の第２の例とそれをカバー部材で覆う状態を示す図。
【図５】図５は本発明に係る付け替え用複合容器に適用される付け替え容器本体の第２の例を示す側面図。
【図６】図６は同付け替え容器本体の第２の例に適用する補強カバー部材を示す側面図。
【図７】図７は図５に示す付け替え容器本体に図６に示す補強カバー部材を装着している状態を示す側面図。
【図８】図８は図５に示す付け替え容器本体に図６に示す補強カバー部材を装着した後の状態を示す側面図。
【図９】図９は本発明に係る付け替え用複合容器に適用される補強カバー部材の第３の例の平面図。
【図１０】図１０は本発明に係る付け替え用複合容器に適用される補強カバー部材の第４の例の平面図。
【図１１】図１１は本発明に係る付け替え用複合容器の胴部に開口部を備えた例の側面図。
【図１２】図１２は本発明に係る付け替え複合容器に適用される付け替え容器本体において口部に８角形状のフランジ部を備えた構造例を示すもので、図１２（Ａ）は第１の例の平面図、図１２（Ｂ）は第２の例の平面図。
【図１３】図１３は実施例において製造した付け替え容器本体を示すもので、図１３（Ａ）は底壁部を上向きの凸状とした付け替え容器本体の側面図、図１３（Ｂ）は底壁部を下向きの凸状とした付け替え容器本体の側面図。
【図１４】図１４は付け替え容器本体にリブを設けた例を示すもので、図１４（Ａ）は底壁部を上向きの凸状とした付け替え容器本体の側面図、図１４（Ｂ）は底壁部を下向きの凸状とした付け替え容器本体の側面図。
【図１５】図１５は付け替え用容器本体の底壁部に形成されるリブを示すもので、図１５（Ａ）は同リブの第１の例を示す平面図、図１５（Ｂ）は同リブの第２の例を示す平面図、図１５（Ｃ）は同リブの第３の例を示す平面図。
【図１６】図１６は従来の付け替え複合容器の一例を示す部分断面図。
【図１７】図１７は従来の付け替え複合容器の他の例を示す部分断面図。
【符号の説明】
【００４３】
Ａ、Ｃ…付け替え複合容器、１、１０…付け替え容器本体、１ａ、１０ａ…胴部、１ｂ、１０ｂ…底壁部、１ｄ、１０ｄ…肩部、１ｅ、１０ｅ…口部、１ｆ、１０ｆ…ネジ部、１ｇ、１０ｇ…フランジ板、１ｊ…傾斜壁、２…補強カバー部材、２ａ…胴部カバー、２ｂ…肩部カバー、２ｄ…肩部カバー、２ｃ…口部カバー、３…注出ポンプ、３ａ…ポンプ本体、３ｂ…吸い上げ筒、３ｆ…キャップ部材、５…キャップ部材、２０…付け替え容器本体、２０ａ…胴部、２０ｄ…肩部、２０ｅ…口部、２０ｆ…ねじ部、２１…補強カバー部材、６１、６２、６３…リブ。
【図１】
2008285175.tif 000005
【図２】
2008285175.tif 000006
【図３】
2008285175.tif 000007
【図４】
2008285175.tif 000008
【図５】
2008285175.tif 000009
【図６】
2008285175.tif 000010
【図７】
2008285175.tif 000011
【図８】
2008285175.tif 000012
【図９】
2008285175.tif 000013
【図１０】
2008285175.tif 000014
【図１１】
2008285175.tif 000015
【図１２】
2008285175.tif 000016
【図１３】
2008285175.tif 000017
【図１４】
2008285175.tif 000018
【図１５】
2008285175.tif 000019
【図１６】
2008285175.tif 000020
【図１７】
2008285175.tif 000021